(57)【要約】【課題】上りリンクの制御情報の受信品質を向上させること。【解決手段】システム帯域が所定の帯域幅を有する基本周波数ブロックにより複数に分割され、複数の基本周波数ブロックの内、所定数の基本周波数を使用して上りリンクの制御信号を送信する送信装置は、或るサブフレームにおける基本周波数ブロック内のサブキャリアに、制御情報をマッピングするマッピング手段と、マッピング後の信号を逆フーリエ変換する手段と、逆フーリエ変換後の信号を含む送信信号を受信装置に無線送信する手段とを有する。マッピング手段は、或るサブフレームに後続するサブフレームにおいて、或るサブフレームにおける基本周波数ブロックの帯域とは異なる帯域の基本周波数ブロック内のサブキャリアに、制御情報をマッピングする。【選択図】図８
2010045549.tif 000002
【特許請求の範囲】
【請求項１】
システム帯域が所定の帯域幅を有する基本周波数ブロックにより複数に分割され、複数の基本周波数ブロックの内、所定数の基本周波数を使用して上りリンクの制御信号を送信する送信装置であって、
或るサブフレームにおける基本周波数ブロック内のサブキャリアに、制御情報をマッピングするマッピング手段と、
マッピング後の信号を逆フーリエ変換する手段と、
逆フーリエ変換後の信号を含む送信信号を受信装置に無線送信する手段と
を有し、
前記マッピング手段は、前記或るサブフレームに後続するサブフレームにおいて、前記或るサブフレームにおける基本周波数ブロックの帯域とは異なる帯域の基本周波数ブロック内のサブキャリアに、制御情報をマッピングすることを特徴とする送信装置。
【請求項２】
請求項１に記載の送信装置において、
前記マッピング手段は、或るサブフレームにおける基本周波数ブロックにおいて、サブフレームの期間にわたって周波数領域で不連続に用意され且つ共有データチャネル用の帯域とは別個に用意された複数の帯域に、制御情報をマッピングすることを特徴とする送信装置。
【請求項３】
請求項２に記載の送信装置において、
前記複数の帯域は、前記基本周波数ブロックの端の帯域に位置する第１の帯域及び第２の帯域を含み、
サブフレームが２つ以上の単位期間を含み、受信装置宛の第１及び第２の制御情報は２つ以上の単位期間にわたって伝送され、
前記マッピング手段は、第１の単位期間では、前記受信装置宛の第1の制御情報を第２の帯域にマッピングし、第２の単位期間では、前記受信装置宛の第２の制御情報を第１の帯域にマッピングすることを特徴とする送信装置。
【請求項４】
システム帯域が所定の帯域幅を有する基本周波数ブロックにより複数に分割され、複数の基本周波数ブロックの内、所定数の基本周波数を使用して上りリンクの制御信号を送信する送信装置であって、
或るサブフレームにおける所定数の異なる基本周波数ブロック内のサブキャリアに、制御情報をマッピングするマッピング手段と、
マッピング後の信号を逆フーリエ変換する手段と、
逆フーリエ変換後の信号を含む送信信号を受信装置に無線送信する手段と
を有し、
前記マッピング手段は、所定数の異なる基本周波数ブロックにおいて、サブフレームの期間にわたって周波数領域で不連続に用意され且つ共有データチャネル用の帯域とは別個に用意された複数の帯域に、制御情報をマッピングすることを特徴とする送信装置。
【請求項５】
請求項４に記載の送信装置において、
前記複数の帯域は、前記所定の異なる基本周波数ブロックの端の帯域に位置する第１の帯域及び第２の帯域を含み、
サブフレームが２つ以上の単位期間を含み、受信装置宛の第１及び第２の制御情報は２つ以上の単位期間にわたって伝送され、
前記マッピング手段は、第１の単位期間では、前記受信装置宛の第1の制御情報を第２の帯域にマッピングし、第２の単位期間では、前記受信装置宛の第２の制御情報を第１の帯域にマッピングすることを特徴とする送信装置。
【請求項６】
請求項４に記載の送信装置において、
前記マッピング手段は、各基本周波数ブロックにおいて、サブフレームの期間にわたって周波数領域で不連続に用意され且つ共有データチャネル用の帯域とは別個に用意された複数の帯域に、制御情報をマッピングすることを特徴とする送信装置。
【請求項７】
請求項６に記載の送信装置において、
前記複数の帯域は、前記基本周波数ブロックの端の帯域に位置する第１の帯域及び第２の帯域を含み、
サブフレームが２つ以上の単位期間を含み、受信装置宛の第１及び第２の制御情報は２つ以上の単位期間にわたって伝送され、
前記マッピング手段は、第１の単位期間では、各基本周波数ブロックにおける第１の帯域に、受信装置宛の第1の制御情報をマッピングし、第２の単位期間では、各基本周波数ブロックにおける第２の帯域に、受信装置宛の第２の制御情報をマッピングすることを特徴とする送信装置。
【請求項８】
請求項７に記載の送信装置において、
前記マッピング手段は、前記或るサブフレームに後続するサブフレームにおいて、第１の単位期間では、各基本周波数ブロックにおける第２の帯域に、受信装置宛の第1の制御情報をマッピングし、第２の単位期間では、各基本周波数ブロックにおける第１の帯域に、受信装置宛の第２の制御情報をマッピングすることを特徴とする送信装置。
【請求項９】
請求項３、５、７、８のいずれか１項に記載の送信装置において、
１つの単位期間は、サブフレームの半分の期間を有するスロットであることを特徴とする送信装置。
【請求項１０】
システム帯域が所定の帯域幅を有する基本周波数ブロックにより複数に分割され、複数の基本周波数ブロックの内、所定数の基本周波数を使用して上りリンクの制御信号を送信する送信装置における方法であって、
或るサブフレームにおける基本周波数ブロック内のサブキャリアに、制御情報をマッピングするステップと、
マッピング後の信号を逆フーリエ変換するステップと、
逆フーリエ変換後の信号を含む送信信号を受信装置に無線送信するステップと
を有し、
前記マッピングするステップでは、前記或るサブフレームに後続するサブフレームにおいて、前記或るサブフレームにおける基本周波数ブロックの帯域とは異なる帯域の基本周波数ブロック内のサブキャリアに、制御情報をマッピングすることを特徴とする方法。
【請求項１１】
システム帯域が所定の帯域幅を有する基本周波数ブロックにより複数に分割され、複数の基本周波数ブロックの内、所定数の基本周波数を使用して上りリンクの制御信号を送信する送信装置における方法であって、
或るサブフレームにおける所定数の異なる基本周波数ブロック内のサブキャリアに、制御情報をマッピングするステップと、
マッピング後の信号を逆フーリエ変換するステップと、
逆フーリエ変換後の信号を含む送信信号を受信装置に無線送信するステップと
を有し、
前記マッピングするステップでは、所定数の異なる基本周波数ブロックにおいて、サブフレームの期間にわたって周波数領域で不連続に用意され且つ共有データチャネル用の帯域とは別個に用意された複数の帯域に、制御情報をマッピングすることを特徴とする方法。
【請求項１２】
システム帯域が所定の帯域幅を有する基本周波数ブロックにより複数に分割され、複数の基本周波数ブロックの内、所定数の基本周波数を使用して送信された上りリンクの制御信号を受信する受信装置であって、
受信信号をフーリエ変換する手段と、
フーリエ変換後の信号に基づいて、各サブキャリアにマッピングされた信号を取り出すデマッピング手段と、
デマッピング手段により取り出された制御情報を復元する手段と、
を有し、
前記デマッピング手段は、或るサブフレームにおける基本周波数ブロック内のサブキャリアにマッピングされた制御情報を取り出し、
前記或るサブフレームに後続するサブフレームにおいて、前記或るサブフレームにおける基本周波数ブロックの帯域とは異なる帯域の基本周波数ブロック内のサブキャリアにマッピングされた制御情報を取り出すことを特徴とする受信装置。
【請求項１３】
システム帯域が所定の帯域幅を有する基本周波数ブロックにより複数に分割され、複数の基本周波数ブロックの内、所定数の基本周波数を使用して送信された上りリンクの制御信号を受信する受信装置であって、
受信信号をフーリエ変換する手段と、
フーリエ変換後の信号に基づいて、各サブキャリアにマッピングされた信号を取り出すデマッピング手段と、
デマッピング手段により取り出された制御情報を復元する手段と
を有し、
前記デマッピング手段では、或るサブフレームにおける所定数の異なる基本周波数ブロック内のサブキャリアにマッピングされた制御情報を取り出し、前記所定数の異なる基本周波数ブロックにおいて、サブフレームの期間にわたって周波数領域で不連続に用意され且つ共有データチャネル用の帯域とは別個に用意された複数の帯域にマッピングされた制御情報を取り出すことを特徴とする受信装置。
【請求項１４】
システム帯域が所定の帯域幅を有する基本周波数ブロックにより複数に分割され、複数の基本周波数ブロックの内、所定数の基本周波数を使用して送信された上りリンクの制御信号を受信する受信装置における方法であって、
受信信号をフーリエ変換するステップと、
フーリエ変換後の信号に基づいて、各サブキャリアにマッピングされた信号を取り出すデマッピングステップと、
前記デマッピングステップにより取り出された制御情報を復元するステップと、
を有し、
前記デマッピングステップでは、或るサブフレームにおける基本周波数ブロック内のサブキャリアにマッピングされた制御情報を取り出し、
前記或るサブフレームに後続するサブフレームにおいて、前記或るサブフレームにおける基本周波数ブロックの帯域とは異なる帯域の基本周波数ブロック内のサブキャリアにマッピングされた制御情報を取り出すことを特徴とする方法。
【請求項１５】
システム帯域が所定の帯域幅を有する基本周波数ブロックにより複数に分割され、複数の基本周波数ブロックの内、所定数の基本周波数を使用して送信された上りリンクの制御信号を受信する受信装置における方法であって、
受信信号をフーリエ変換するステップと、
フーリエ変換後の信号に基づいて、各サブキャリアにマッピングされた信号を取り出すデマッピングステップと、
前記デマッピングステップにより取り出された制御情報を復元するステップと、
を有し、
前記デマッピングステップでは、或るサブフレームにおける所定数の異なる基本周波数ブロック内のサブキャリアにマッピングされた制御情報を取り出し、前記所定数の異なる基本周波数ブロックにおいて、サブフレームの期間にわたって周波数領域で不連続に用意され且つ共有データチャネル用の帯域とは別個に用意された複数の帯域にマッピングされた制御情報を取り出すことを特徴とする方法。
【請求項１６】
システム帯域が所定の帯域幅を有する基本周波数ブロックにより複数に分割され、複数の基本周波数ブロックの内、所定数の基本周波数を使用して上りリンクの制御信号を送信する送信装置と、該上りリンクの信号を受信する受信装置とを有する移動通信システムであって、
前記送信装置は、
或るサブフレームにおける基本周波数ブロック内のサブキャリアに、制御情報をマッピングする場合に、該或るサブフレームに後続するサブフレームにおいて、該或るサブフレームにおける基本周波数ブロックの帯域とは異なる帯域の基本周波数ブロック内のサブキャリアに、制御情報をマッピングするマッピング手段と、
マッピング後の信号を逆フーリエ変換する手段と、
逆フーリエ変換後の信号を含む送信信号を受信装置に無線送信する手段と
を有し、
前記受信装置は、
受信信号をフーリエ変換する手段と、
フーリエ変換後の信号に基づいて、各サブキャリアにマッピングされた信号を取り出す場合に、或るサブフレームにおける基本周波数ブロック内のサブキャリアにマッピングされた制御情報を取り出し、該或るサブフレームに後続するサブフレームにおいて、該或るサブフレームにおける基本周波数ブロックの帯域とは異なる帯域の基本周波数ブロック内のサブキャリアにマッピングされた制御情報を取り出すデマッピング手段と、
前記デマッピング手段により取り出された制御情報を復元する手段と、
を有することを特徴とする移動通信システム。
【請求項１７】
システム帯域が所定の帯域幅を有する基本周波数ブロックにより複数に分割され、複数の基本周波数ブロックの内、所定数の基本周波数を使用して上りリンクの制御信号を送信する送信装置と、該上りリンクの信号を受信する受信装置とを有する移動通信システムであって、
前記送信装置は、
或るサブフレームにおける所定数の異なる基本周波数ブロック内のサブキャリアに、制御情報をマッピングする場合に、所定数の異なる基本周波数ブロックにおいて、サブフレームの期間にわたって周波数領域で不連続に用意され且つ共有データチャネル用の帯域とは別個に用意された複数の帯域に、制御情報をマッピングするマッピング手段と、
マッピング後の信号を逆フーリエ変換する手段と、
逆フーリエ変換後の信号を含む送信信号を受信装置に無線送信する手段と
を有し、
前記受信装置は、
受信信号をフーリエ変換する手段と、
フーリエ変換後の信号に基づいて、各サブキャリアにマッピングされた信号を取り出す場合に、或るサブフレームにおける所定数の異なる基本周波数ブロック内のサブキャリアにマッピングされた制御情報を取り出し、前記所定数の異なる基本周波数ブロックにおいて、サブフレームの期間にわたって周波数領域で不連続に用意され且つ共有データチャネル用の帯域とは別個に用意された複数の帯域にマッピングされた制御情報を取り出すデマッピング手段と、
前記デマッピング手段により取り出された制御情報を復元する手段と
を有することを特徴とする移動通信システム。
【発明の詳細な説明】
【技術分野】
【０００１】
本発明は移動通信の技術分野に関連し、特に次世代移動通信技術を用いる移動通信システム、送信装置、受信装置及び方法に関する。
【背景技術】
【０００２】
ITU-R(International  Telecommunication  Union  Radiocommunication  sector)において、IMT-Advanced無線インタフェースの提案募集が開始され、2011年の仕様完成を目指して標準化作業が開始されている。
【０００３】
これに伴い、3GPP(3rd  Generation  Partnership  Project)では、Release  8のLTE（以下、Rel-8  LTEと呼ぶ）の高度化システムとしてLTE-Advancedの検討が開始されている。
【０００４】
この種の移動通信システムでは、下りリンクでも上りリンクでもユーザ装置に１つ以上のリソースブロック(Resource  Block)を割り当てることで通信が行われる。リソースブロックはシステム内の多数のユーザ装置で共有される。基地局装置は、例えば１ｍｓであるサブフレーム(Sub-frame)毎に、複数のユーザ装置の内からリソースブロックを割り当てるユーザ装置を決定する。サブフレームは送信時間間隔(TTI)と呼ばれてもよい。無線リソースの割り当ての決定はスケジューリングと呼ばれる。下りリンクではスケジューリングで選択されたユーザ装置宛に、基地局装置は１以上のリソースブロックで共有チャネルを送信する。この共有チャネルは、下り物理共有チャネル(PDSCH:  Physical  Downlink  Shared  CHannel)と呼ばれてもよい。上りリンクではスケジューリングで選択されたユーザ装置が、１以上のリソースブロックで基地局装置に共有チャネルを送信する。この共有チャネルは、上り物理共有チャネル(PUSCH:  Physical  Uplink  Shared  CHannel)と呼ばれてもよい。
【０００５】
無線リソースのスケジューリングが行われる場合、原則としてサブフレーム毎にどのユーザ装置に共有チャネルを割り当てるかをシグナリング（通知）する必要がある。このシグナリングに用いられる下り制御チャネルは、物理下りリンク制御チャネル(PDCCH:  Physical  Downlink  Control  CHannel)又は下りL1/L2制御チャネル(DL-L1/L2  Control  Channel)を含んでもよい。PDCCHには、例えば次の情報が含まれてよい（これについては例えば、非特許文献１参照）。
【０００６】
・下りスケジューリング情報(Downlink  Scheduling  Information)、
・上りリンクスケジューリンググラント(Uplink  Scheduling  Grant)、
・送達確認情報(ACK/NACK:  Acknowledgement/Negative-Acknowledgement  information)
・送信電力制御コマンドビット(Transmission  Power  Control  Command  Bit)。
【０００７】
下りスケジューリング情報には、例えば、下りリンクの共有チャネルに関する情報が含まれ、具体的には、下りリンクのリソースブロックの割り当て情報、ユーザ装置の識別情報(UE-ID)、ストリーム数、プリコーディングベクトル(Pre-coding  Vector)に関する情報、データサイズ、変調方式、HARQ(Hybrid  Automatic  Repeat  reQuest)に関する情報等が含まれてもよい。
【０００８】
また、上りリンクスケジューリンググラントには、例えば、上りリンクの共有チャネルに関する情報が含まれ、具体的には、上りリンクのリソースの割り当て情報、ユーザ装置の識別情報(UE-ID)、データサイズ、変調方式、上りリンクの送信電力情報、アップリンクMIMO(Uplink  MIMO)におけるデモジュレーションレファレンスシグナル(Demodulation  Reference  Signal)に関する情報等が含まれてもよい。
【０００９】
送達確認情報(ACK/NACK)は、上りリンクで伝送されたPUSCHについて再送を要するか否かを示す。
【００１０】
上りリンクではPUSCHによりユーザデータ(通常のデータ信号)が伝送される。また、PUSCHとは別に、上りリンク制御チャネル(PUCCH:  Physical  Uplink  Control  Channel)により、下りリンクのチャネル品質情報(CQI:  Channel  Quality  Indicator)及びPDSCHの送達確認情報(ACK/NACK)等が伝送されてもよい。CQIは、下りリンクにおける共有物理チャネルのスケジューリング処理や適応変復調・チャネル符号化(AMC:  Adaptive  Modulation  and  channel  Coding)処理等に使用される。上りリンクでは、ランダムアクセスチャネル(RACH:  Random  Access  CHannel)や、上下リンクの無線リソースの割り当て要求を示す信号等も必要に応じて伝送されてもよい。
【００１１】
ところで、送達確認情報(ACK/NACK)は、本質的には僅か１ビットで表現可能な情報であるが、再送制御で最も基本的な役割を担い、システムのスループットに大きな影響を及ぼす。従って、送達確認情報(ACK/NACK)は、発生後速やかにフィードバックされることが望ましい。また、上述したようにCQIは下りリンクのチャネル状態を表し、スケジューリングや適応変復調・チャネル符号化等における基礎的な情報である。チャネル状態は刻々と変化し得るので、CQIも頻繁に基地局にフィードバックされることが好ましい。
【００１２】
上りリンクでのデータ伝送用に何らかのリソースブロックが割り当てられていた場合、そのリソースブロックを用いてこれらの制御情報を速やかに基地局装置に報告することができる。しかし、そのようなリソースブロックが割り当てられていないにもかかわらず、下りデータチャネルに対する送達確認情報やCQIを基地局装置に報告しなければならない場合もある。
【００１３】
上記のLTE方式のシステムでは、上りリンクにシングルキャリア方式(SC-FDMA方式)を採用し、上記のような場合に、送達確認情報やCQIは基地局装置に速やかに報告できるように工夫される。一方、周波数リソースの利用効率を更に高めることや、データレートの更なる向上等の観点からは、シングルキャリア方式よりもマルチキャリア方式の方が好ましい。
【非特許文献１】3GPP  R1-070103,  Downlink  L1/L2  Control  Signaling  Channel  Structure:  Coding，January  15-19，2007
【非特許文献２】3GPP  36.211  V8.2.0
【発明の開示】
【発明が解決しようとする課題】
【００１４】
本発明の課題は、上りリンクの制御情報の受信品質を向上させることである。
【課題を解決するための手段】
【００１５】
上記課題を解決するため、本送信装置は、
システム帯域が所定の帯域幅を有する基本周波数ブロックにより複数に分割され、複数の基本周波数ブロックの内、所定数の基本周波数を使用して上りリンクの制御信号を送信する送信装置であって、
或るサブフレームにおける基本周波数ブロック内のサブキャリアに、制御情報をマッピングするマッピング手段と、
マッピング後の信号を逆フーリエ変換する手段と、
逆フーリエ変換後の信号を含む送信信号を受信装置に無線送信する手段と
を有し、
前記マッピング手段は、前記或るサブフレームに後続するサブフレームにおいて、前記或るサブフレームにおける基本周波数ブロックの帯域とは異なる帯域の基本周波数ブロック内のサブキャリアに、制御情報をマッピングする。
【００１６】
他の送信装置は、
システム帯域が所定の帯域幅を有する基本周波数ブロックにより複数に分割され、複数の基本周波数ブロックの内、所定数の基本周波数を使用して上りリンクの制御信号を送信する送信装置であって、
或るサブフレームにおける所定数の異なる基本周波数ブロック内のサブキャリアに、制御情報をマッピングするマッピング手段と、
マッピング後の信号を逆フーリエ変換する手段と、
逆フーリエ変換後の信号を含む送信信号を受信装置に無線送信する手段と
を有し、
前記マッピング手段は、所定数の異なる基本周波数ブロックにおいて、サブフレームの期間にわたって周波数領域で不連続に用意され且つ共有データチャネル用の帯域とは別個に用意された複数の帯域に、制御情報をマッピングする。
【００１７】
本方法は、
システム帯域が所定の帯域幅を有する基本周波数ブロックにより複数に分割され、複数の基本周波数ブロックの内、所定数の基本周波数を使用して上りリンクの制御信号を送信する送信装置における方法であって、
或るサブフレームにおける基本周波数ブロック内のサブキャリアに、制御情報をマッピングするステップと、
マッピング後の信号を逆フーリエ変換するステップと、
逆フーリエ変換後の信号を含む送信信号を受信装置に無線送信するステップと
を有し、
前記マッピングするステップでは、前記或るサブフレームに後続するサブフレームにおいて、前記或るサブフレームにおける基本周波数ブロックの帯域とは異なる帯域の基本周波数ブロック内のサブキャリアに、制御情報をマッピングする。
【００１８】
他の方法は、
システム帯域が所定の帯域幅を有する基本周波数ブロックにより複数に分割され、複数の基本周波数ブロックの内、所定数の基本周波数を使用して上りリンクの制御信号を送信する送信装置における方法であって、
或るサブフレームにおける所定数の異なる基本周波数ブロック内のサブキャリアに、制御情報をマッピングするステップと、
マッピング後の信号を逆フーリエ変換するステップと、
逆フーリエ変換後の信号を含む送信信号を受信装置に無線送信するステップと
を有し、
前記マッピングするステップでは、所定数の異なる基本周波数ブロックにおいて、サブフレームの期間にわたって周波数領域で不連続に用意され且つ共有データチャネル用の帯域とは別個に用意された複数の帯域に、制御情報をマッピングする。
【００１９】
本受信装置は、
システム帯域が所定の帯域幅を有する基本周波数ブロックにより複数に分割され、複数の基本周波数ブロックの内、所定数の基本周波数を使用して送信された上りリンクの制御信号を受信する受信装置であって、
受信信号をフーリエ変換する手段と、
フーリエ変換後の信号に基づいて、各サブキャリアにマッピングされた信号を取り出すデマッピング手段と、
デマッピング手段により取り出された制御情報を復元する手段と、
を有し、
前記デマッピング手段は、或るサブフレームにおける基本周波数ブロック内のサブキャリアにマッピングされた制御情報を取り出し、
前記或るサブフレームに後続するサブフレームにおいて、前記或るサブフレームにおける基本周波数ブロックの帯域とは異なる帯域の基本周波数ブロック内のサブキャリアにマッピングされた制御情報を取り出す。
【００２０】
他の受信装置は、
システム帯域が所定の帯域幅を有する基本周波数ブロックにより複数に分割され、複数の基本周波数ブロックの内、所定数の基本周波数を使用して送信された上りリンクの制御信号を受信する受信装置であって、
受信信号をフーリエ変換する手段と、
フーリエ変換後の信号に基づいて、各サブキャリアにマッピングされた信号を取り出すデマッピング手段と、
デマッピング手段により取り出された制御情報を復元する手段と
を有し、
前記デマッピング手段では、或るサブフレームにおける所定数の異なる基本周波数ブロック内のサブキャリアにマッピングされた制御情報を取り出し、前記所定数の異なる基本周波数ブロックにおいて、サブフレームの期間にわたって周波数領域で不連続に用意され且つ共有データチャネル用の帯域とは別個に用意された複数の帯域にマッピングされた制御情報を取り出す。
【００２１】
本方法は、
システム帯域が所定の帯域幅を有する基本周波数ブロックにより複数に分割され、複数の基本周波数ブロックの内、所定数の基本周波数を使用して送信された上りリンクの制御信号を受信する受信装置における方法であって、
受信信号をフーリエ変換するステップと、
フーリエ変換後の信号に基づいて、各サブキャリアにマッピングされた信号を取り出すデマッピングステップと、
前記デマッピングステップにより取り出された制御情報を復元するステップと、
を有し、
前記デマッピングステップでは、或るサブフレームにおける基本周波数ブロック内のサブキャリアにマッピングされた制御情報を取り出し、
前記或るサブフレームに後続するサブフレームにおいて、前記或るサブフレームにおける基本周波数ブロックの帯域とは異なる帯域の基本周波数ブロック内のサブキャリアにマッピングされた制御情報を取り出す。
【００２２】
他の方法は、
システム帯域が所定の帯域幅を有する基本周波数ブロックにより複数に分割され、複数の基本周波数ブロックの内、所定数の基本周波数を使用して送信された上りリンクの制御信号を受信する受信装置における方法であって、
受信信号をフーリエ変換するステップと、
フーリエ変換後の信号に基づいて、各サブキャリアにマッピングされた信号を取り出すデマッピングステップと、
前記デマッピングステップにより取り出された制御情報を復元するステップと、
を有し、
前記デマッピングステップでは、或るサブフレームにおける所定数の異なる基本周波数ブロック内のサブキャリアにマッピングされた制御情報を取り出し、前記所定数の異なる基本周波数ブロックにおいて、サブフレームの期間にわたって周波数領域で不連続に用意され且つ共有データチャネル用の帯域とは別個に用意された複数の帯域にマッピングされた制御情報を取り出す。
【００２３】
本移動通信システムは、
システム帯域が所定の帯域幅を有する基本周波数ブロックにより複数に分割され、複数の基本周波数ブロックの内、所定数の基本周波数を使用して上りリンクの制御信号を送信する送信装置と、該上りリンクの信号を受信する受信装置とを有する移動通信システムであって、
前記送信装置は、
或るサブフレームにおける基本周波数ブロック内のサブキャリアに、制御情報をマッピングする場合に、該或るサブフレームに後続するサブフレームにおいて、該或るサブフレームにおける基本周波数ブロックの帯域とは異なる帯域の基本周波数ブロック内のサブキャリアに、制御情報をマッピングするマッピング手段と、
マッピング後の信号を逆フーリエ変換する手段と、
逆フーリエ変換後の信号を含む送信信号を受信装置に無線送信する手段と
を有し、
前記受信装置は、
受信信号をフーリエ変換する手段と、
フーリエ変換後の信号に基づいて、各サブキャリアにマッピングされた信号を取り出す場合に、或るサブフレームにおける基本周波数ブロック内のサブキャリアにマッピングされた制御情報を取り出し、該或るサブフレームに後続するサブフレームにおいて、該或るサブフレームにおける基本周波数ブロックの帯域とは異なる帯域の基本周波数ブロック内のサブキャリアにマッピングされた制御情報を取り出すデマッピング手段と、
前記デマッピング手段により取り出された制御情報を復元する手段と、
を有する。
【００２４】
他の移動通信システムは、
システム帯域が所定の帯域幅を有する基本周波数ブロックにより複数に分割され、複数の基本周波数ブロックの内、所定数の基本周波数を使用して上りリンクの制御信号を送信する送信装置と、該上りリンクの信号を受信する受信装置とを有する移動通信システムであって、
前記送信装置は、
或るサブフレームにおける所定数の異なる基本周波数ブロック内のサブキャリアに、制御情報をマッピングする場合に、所定数の異なる基本周波数ブロックにおいて、サブフレームの期間にわたって周波数領域で不連続に用意され且つ共有データチャネル用の帯域とは別個に用意された複数の帯域に、制御情報をマッピングするマッピング手段と、
マッピング後の信号を逆フーリエ変換する手段と、
逆フーリエ変換後の信号を含む送信信号を受信装置に無線送信する手段と
を有し、
前記受信装置は、
受信信号をフーリエ変換する手段と、
フーリエ変換後の信号に基づいて、各サブキャリアにマッピングされた信号を取り出す場合に、或るサブフレームにおける所定数の異なる基本周波数ブロック内のサブキャリアにマッピングされた制御情報を取り出し、前記所定数の異なる基本周波数ブロックにおいて、サブフレームの期間にわたって周波数領域で不連続に用意され且つ共有データチャネル用の帯域とは別個に用意された複数の帯域にマッピングされた制御情報を取り出すデマッピング手段と、
前記デマッピング手段により取り出された制御情報を復元する手段と
を有する。
【発明の効果】
【００２５】
本発明の実施例によれば、上りリンクの制御情報の受信品質を向上させることができる。
【発明を実施するための最良の形態】
【００２６】
以下、添付図面を参照しながら本発明の実施例が説明される。発明の理解を促すため具体的な数値例を用いて説明がなされるが、特に断りのない限り、それらの数値は単なる一例に過ぎず適切な如何なる値が使用されてもよい。
【００２７】
LTE-Advancedでは、IMT-Advancedで規定さている要求条件を満たすことが最低条件であり、主に以下の項目を考慮してマルチアクセス方式を検討する必要がある。
(1)  広帯域信号伝送の送受信のサポート
(2)  Rel-8  LTEとのバックワードコンパチビリティ
(3)  特性改善と制御信号のオーバヘッドのトレードオフの最適化
(4)  様々なセル環境のサポート
(1)に関しては、特に下りリンクにおいて1  Gbps以上のピークデータレートの要求条件を満たすため、Rel-8  LTE仕様の最大システム帯域幅である20  MHzを拡張して、100  MHz程度までの周波数帯域幅の送受信機能をサポートする必要がある。また、周波数スペクトル割り当てに対して柔軟性の高いスケーラブルなマルチ帯域幅をサポートする必要がある。
【００２８】
(2)に関しては、LTE-Advancedでは、IMT-Advancedの要求条件を満たすことが最低要求条件であることに加えて、スムーズなシステム導入を可能とするために、Rel-8  LTEとの後位互換（バックワードコンパチビリティ:  backward  compatibility）は必須である。すなわち、LTE-Advancedの周波数スペクトル内にRel-8 LTEのユーザ端末(UE:  User  Equipment)の接続をサポート可能な無線インタフェースが必須である。
【００２９】
(3)に関しては、周波数ダイバーシチ利得及び周波数スケジューリング利得は、広帯域化するに従って、該改善度は低減（飽和）する。一方、チャネル品質情報(CQI:  Channel  Quality  Indicator)のフィードバック等に必要な制御信号のオーバヘッドは帯域幅の増大に伴い増大する。従って、特性改善と制御信号のオーバヘッドの増大のトレードオフの関係を考慮して、最適な送受信帯域幅を設定する必要がある。
【００３０】
(4)に関しては、LTE-AdvancedではRel-8  LTEとの補完的な導入形態を考慮して、マイクロセル、インドア/ホットスポット環境などのローカルエリア環境への適用を重視するが、屋外マクロセル環境のサポートもRel-8  LTEと同様に実現する必要がある。
【００３１】
上記の要求条件を満たすため、図１に示されるレイヤード(Layered)チャネル帯域幅構成が提案されている。図１において、横軸は周波数を示す。レイヤード(Layered)チャネル帯域幅構成では、システム帯域は、基本周波数ブロックを単位として分割される。そして、基地局の全送信帯域には複数の基本周波数ブロックが含まれる。基本周波数ブロックの帯域幅は、Rel-8  LTEのUEをサポートするために15-20  MHz程度であるのが好ましい。
【００３２】
20  MHzより広帯域な送受信帯域幅の能力(Capability)を有するLTE-Advancedのユーザ装置UEに対しては、周波数ダイバーシチ利得と制御信号のオーバヘッドに基づいて、複数の基本周波数ブロックを柔軟に割り当てる。具体的には、20  MHzの送受信帯域幅の能力(Capability)を有するRel-8  LTEのユーザ装置UEに対しては１個の基本周波数ブロックが割り当てられる。また、40  MHzの送受信帯域幅の能力(Capability)を有するLTE-Advancedのユーザ装置UEに対しては２個の基本周波数ブロックが割り当てられる。また、100  MHzの送受信帯域幅の能力(Capability)を有するLTE-Advancedのユーザ装置UEに対しては５個の基本周波数ブロックが割り当てられる。但し、20  MHzより広帯域な送受信帯域幅の能力(Capability)を有するLTE-AdvancedのUEに対して、該送受信帯域幅の能力以下の基本周波数ブロック、例えば、1個の基本周波数ブロックを割り当てるようにしてもよい。
【００３３】
従って、レイヤー１(Layer  1(L1))/レイヤー２(Layer  2(L2))制御チャネルも、Rel-8  LTEの端末が接続できるように基本周波数ブロックを単位として送受信する必要がある。
【００３４】
また、高いピークスループットを実現するため、LTE-Advancedの端末は同一TTI (Transmission  Time  Interval)での複数の基本周波数ブロックにわたる同時送受信が必須である。このため、複数の基本周波数ブロックの共有データチャネルに対応するL1/L2制御情報を高効率に伝送する必要がある。
【００３５】
図1に示されるLayeredチャネル帯域幅構成において、単純に制御チャネルを、基本周波数ブロックを単位として繰り返すようにした場合には、制御信号のオーバヘッドが増大する。そこで、Rel-8  LTEの端末の制御信号構成をサポートしつつ、より広帯域のUE  CapabilityをもつLTE-Advancedに対して、高効率な伝送を実現するL1/L2制御チャネル構成として、図２及び図３に示すようなLayered制御チャネル構成が提案されている。
【００３６】
図２には、下りリンクにおけるLayered制御チャネル構成が示される。図２において、各ユーザ装置に対応する制御チャネルを同様のハッチングにより示す。図２によれば、20  MHzより広帯域な送受信帯域幅の能力(Capability)を有するLTE-AdvancedのUEに対しては、周波数ダイバーシチ利得と制御信号のオーバヘッドを考慮し、複数の基本周波数ブロックを柔軟に割り当てる。各基本周波数ブロックにおいて、先頭から数シンボルが制御チャネルに割り当てられる。該数シンボルは例えば２−３シンボルであってもよい。また、20  MHzより広帯域な送受信帯域幅の能力(Capability)を有するLTE-AdvancedのUEに対して、1つの基本周波数ブロックを割り当てるようにしてもよい。図２には、３個の基本周波数ブロックが割り当てられるLTE-Advancedのユーザ装置UE(1)と、２個の基本周波数ブロックが割り当てられるLTE-Advancedのユーザ装置UE(2)と、１個の基本周波数ブロックが割り当てられるRel-8  LTEのユーザ装置UE(3)とが示される。
【００３７】
図３には、上りリンクにおけるLayered制御チャネル構成が示される。図３において、各ユーザ装置に対応する制御チャネルを同様のハッチングにより示す。例えば、基本周波数ブロックには複数のリソースブロックが含まれる。１又は複数の基本周波数を含む帯域の両端に、狭い帯域が用意される。これら左右２つの帯域は、制御情報の伝送用に確保される。便宜上、以下、これら２つの帯域を、低周波側から順に第1制御帯域及び第２制御帯域と呼ぶ。リソースブロック１つ分は例えば180kHz程度であり、両端の帯域1つ分は例えばデータ伝送用と同じく180kHz程度である。例えば1msのサブフレームは所定数個(例えば、10個)で１つの無線フレームを構成する。各サブフレームは２つのスロットを含む。周波数、期間、個数その他の数値は単なる一例に過ぎず、適切な如何なる数値が使用されてもよい。
【００３８】
図示の例では、LTE-Advancedのユーザ装置UE(1)が基地局装置に送信するL1/L2制御チャネルは、２つのスロットで連続的に行われるが、最初のスロットでは第２制御帯域で、次のスロットでは第１制御帯域で伝送される。該ユーザ装置UE(1)には、２個の基本周波数ブロックが割り当てられる。システム帯域幅にわたって大きく周波数ホッピングしながら制御情報を伝送することで、大きな周波数ダイバーシチ効果が得られ、これは、制御情報の受信品質を高める等の観点から好ましい。このような周波数ホッピングはスロット単位に限らず、より大きい単位（例えば、サブフレーム単位）であってもよいし、より小さい単位（例えば、スロットを構成するシンボルの単位）であってもよい。また、第1及び第２制御帯域が同時には使用されないので、本方法はシングルキャリア方式のシステムでも使用可能である。
【００３９】
また、図示の例では、LTE-Advancedのユーザ装置UE(2)及びRel-8  LTEのユーザ装置UE(3)が基地局装置に送信するL1/L2制御チャネルは、最初のスロットでは第２制御帯域で、次のスロットでは第１制御帯域で伝送される。該ユーザ装置UE(2)及び(3)には、１個の基本周波数ブロックが割り当てられる。該ユーザ装置UE(2)及び(3)は、１個の基本周波数ブロックにわたって周波数ホッピングしながら制御情報を伝送する。
【００４０】
また、L1/L2制御チャネルを第１及び第２制御帯域で伝送されるようにしてもよい。しかしこの方法では、第１及び第２制御帯域双方が最初のスロットで同時に使用される。このような伝送法は、マルチキャリア方式が適用される場合に可能になる。この場合、最初のスロットが使用されてもよいし、後のスロットが使用されてもよい。但し、最初のスロットを使用することは、制御チャネルの伝送を早期に終了できる等の点で好ましい。
【００４１】
また、データチャネルの伝送用にリソースブロックが割り当てられているか否かで制御情報の伝送法が異なるようにしてもよい。データチャネルの伝送用にリソースブロックが割り当てられていない場合には、ユーザ装置が基地局装置に送信するL1/L2制御チャネルは、第1及び第２制御帯域で周波数ホッピングしながら送信される。しかし、データチャネルの伝送用にリソースブロックが割り当てられていた場合、制御情報はそのリソースブロックで伝送される。この場合、制御情報とデータチャネルは時分割多重方式で多重される。
【００４２】
また、ユーザ装置が基地局装置に送信するL1/L2制御チャネルは、第１及び第２制御帯域双方で同時に送信されるようにしてもよい。この場合、一方のスロットだけでなくサブフレーム全体にわたって送信が行われる(スロットが２つとも使用される)ようにしてもよい。これは、１ユーザ当たりの制御情報のビット数が多い場合や、無線伝搬状況が悪い等の場合に有利である。無線伝搬状況の悪い場合に有利なのは、ビット数の情報について所要品質を確保する際、チャネル状態が良ければデータサイズは小さくてもよいが、チャネル状態が悪ければ大きなデータサイズを要するからである。
【００４３】
また、サブフレームにおいて、第１制御帯域及び第２制御帯域を同一ユーザが使用できる場合に、最初のスロットでは、一方の制御帯域でチャネル品質情報(CQI)が伝送され、他方の制御帯域で送達確認情報(ACK/NACK)が伝送されるようにしてもよい。後のスロットでは、その他方の制御帯域でCQIが伝送され、その一方の制御帯域でACK/NACKが伝送されるようにしてもよい。ACK/NACKとCQIを別々に伝送するので、それらを多重して伝送する際の伝送フォーマットを用意せずに済む。これは、ACK/NACKの検出精度を高めることや、例えばブラインド(blind)検出の手間を軽減する等の観点から好ましい。また、最初のスロットで送達確認情報(ACK/NACK)が第１及び第２制御帯域で同時に伝送されるようにしてもよい。そして、後のスロットでチャネル品質情報(CQI)が第１及び第２制御帯域で同時に伝送される。ACK/NACK及びCQIの伝送順序は逆でも良い。本方法でもACK/NACKとCQIを多重して伝送する際の伝送フォーマットを用意せずに済む。
【００４４】
本実施例では、LTE-Advancedの上りリンクにおいて、L1/L2制御チャネルに対して、周波数ホッピングが適用される。
【００４５】
Rel-8  LTEの上りリンクでは、ピーク対平均電力比(PAPR:  Peak-to-Average  Power  Ratio)を低く抑えることができ、カバレッジの増大に有効なSC-FDMA(Single-Carrier  Frequency  Division  Multiple  Access)無線アクセス方式が採用されている。また、CQIやACK/NACK情報を伝送するための上りリンク物理制御チャネル(PUCCH:  Physical  Uplink  Control  Channel)は、図４に示すような構成が採用されている。図４において、各ユーザ装置に対する制御情報を異なるハッチングにより示す。
【００４６】
具体的には、低PAPR及び低オーバヘッドを実現するため、狭い帯域幅(180kHz)のシングルキャリア送信を用いる。また、周波数ダイバーシチ効果を得るため、1msecサブフレーム(TTI)内の２つのスロット間で送信スペクトラムの両端の帯域を用いて、周波数ホッピングを行う。該周波数ホッピングは、intra-TTIホッピングと呼ばれてもよい。さらに、複数UEからのPUCCHは、同一の無線リソース内においてCDMAにより多重されるようにしてもよい。
【００４７】
LTE-Advancedの上りリンクでは、複数の基本周波数ブロックの制御情報を送信する必要がある。また、更なるピークデータデートの増大のため、MIMO多重伝送(Single  User-MIMO)の適用を考慮すると、最尤検出(MLD:  Maximum  Likelihood  Detection)のような高精度信号分離技術との親和性の高いOFDM (Orthogonal  Frequency  Division  Multiplexing)の適用が、特にローカルエリア環境では有効である。この点では、PAPRの低減によるカバレッジ増大を重視したRel-8  LTEとは異なる。
【００４８】
このため、LTE-Advancedの上りリンク無線アクセス方式としてはOFDM、あるいはシングルキャリア送信に割り当ての柔軟性を持たせるため、DFT後に複数ブロックに分割してLocalized送信を行うClustered  DFT-Spread  OFDMや複数のDFTを用いたマルチキャリア化(Multicarrier  DFT-Spread  OFDM)などのマルチキャリア伝送の適用も検討されている。
【００４９】
そこで本実施例では、(1)複数の基本周波数ブロックの制御情報を送信する場合の周波数ホッピング方法、(2)シングルキャリア伝送に加え、マルチキャリア伝送の適用も考慮した制御情報の伝送方法について説明する。本実施例では、一例としてLTE-Advancedの上りリンクL1/L2制御チャネルに関して説明する。
【００５０】
本実施例に係るユーザ装置及び基地局装置を有する移動通信システムについて、図５を参照して説明する。
【００５１】
移動通信システム１０００は、例えばEvolved  UTRA  and  UTRAN（別名:  Long  Term  Evolution，或いは，Super  3Gが包含されるシステムである。この移動通信システムは、IMT-Advancedと呼ばれてもよいし、4Gと呼ばれてもよい。
【００５２】
移動通信システム１０００は、基地局装置(eNB:  eNodeB)２００と、基地局装置２００と通信する複数のユーザ装置(UE:  User  Equipment)１００（１００１、１００２、１００３、・・・１００ｎ、ｎはｎ＞０の整数）とを有する。eNB及びUEは、次世代の移動通信システムの通信方式の議論に応じて異なる名称となる場合がある。その場合には、その名称で呼ばれてもよい。基地局装置２００は上位局３００と接続され、上位局３００はコアネットワーク４００と接続される。例えば、上位局には、アクセスゲートウェイ装置３００、無線ネットワークコントローラ(RNC)、モビリティマネジメントエンティティ(MME)等が含まれるようにしてもよい。また、上位局は、次世代の移動通信システムの通信方式の議論に応じて、適宜変更される場合がある。この場合には、その上位局と接続される。
【００５３】
各ユーザ装置１００（１００１、１００２、１００３、・・・１００ｎ）は、同一の構成、機能、状態を有するので、以下では特段の断りがない限りユーザ装置１００ｎとして説明を進める。
【００５４】
移動通信システム１０００、例えば、Evolved  UTRAでは、下りリンクについてはOFDMA（直交周波数分割多元接続）が、上りリンクについてはSC-FDMA（シングルキャリア−周波数分割多元接続）が含まれる。上述したように、OFDMAは、周波数帯域を複数の狭い周波数帯域（サブキャリア）に分割し、各サブキャリアにデータをマッピングして通信を行うマルチキャリア伝送方式である。SC-FDMAは、周波数帯域をユーザ装置毎に分割し、複数のユーザ装置が互いに異なる周波数帯域を用いることで、ユーザ装置間の干渉を低減するシングルキャリア伝送方式である。このようにすることにより、本移動通信システムでは、E-UTRAのフルサポートを実現できる。また、上りリンクには、マルチキャリア方式が使用されてもよい。具体的には、上下リンクにマルチキャリア方式が適用される場合には、直交周波数分割多元接続(OFDM:  Orthogonal  Frequency  Division  Multiplexing)方式が使用されてもよい。
【００５５】
ここで、Evolved  UTRA  and  UTRANにおける通信チャネルについて説明する。これらの通信チャネルは、本実施例に係る移動通信システムに適用するようにしてもよい。
【００５６】
下りリンクについては、各ユーザ装置１００ｎで共有される物理下りリンク共有チャネル(PDSCH:  Physical  Downlink  Shared  Channel)と、物理下りリンク制御チャネル(PDCCH:  Physical  Downlink  Control  Channel)とが用いられる。物理下りリンク制御チャネルは下りL1/L2制御チャネルとも呼ばれる。物理下りリンク共有チャネルにより、ユーザデータ、すなわち、通常のデータ信号が伝送される。
【００５７】
上りリンクについては、各ユーザ装置１００ｎで共有して使用される物理上りリンク共有チャネル（PUSCH:  Physical  Uplink  Shared  Channel）と、物理上りリンク制御チャネル（PUCCH:  Physical  Uplink  Control  Channel）とが用いられる。物理上りリンク共有チャネルにより、ユーザデータ、すなわち、通常のデータ信号が伝送される。また、物理上りリンク制御チャネルにより、下りリンクにおける共有物理チャネルのスケジューリング処理や適応変復調及び符号化（AMC:  Adaptive  Modulation  and  Coding）に用いるための下りリンクの品質情報(CQI:  Channel  Quality  Indicator)、及び、物理下りリンク共有チャネルの送達確認情報（Acknowledgement  Information）が伝送される。送達確認情報の内容は、送信信号が適切に受信されたことを示す肯定応答(ACK:  Acknowledgement)又はそれが適切に受信されなかったことを示す否定応答(NACK:  Negative  Acknowledgement)の何れかで表現される。
【００５８】
物理上りリンク制御チャネルでは、CQIや送達確認情報に加えて、上りリンクの共有チャネルのリソース割り当てを要求するスケジューリング要求(Scheduling  Request)や、パーシステント  スケジューリング（Persistent  Scheduling）におけるリリース要求(Release  Request)等が送信されてもよい。ここで、上りリンクの共有チャネルのリソース割り当てとは、あるサブフレームの物理下りリンク制御チャネルを用いて、後続のサブフレームにおいて上りリンクの共有チャネルを用いて通信を行ってよいことを基地局装置２００がユーザ装置１００ｎに通知することを意味する。
【００５９】
説明の便宜上、ユーザ装置１００ｎが基地局装置に制御情報を送信する場合が説明される。該制御情報には、上りL1/L2制御情報、下りリンクで伝送されたデータチャネルに対する送達確認情報(ACK/NACK)及び／又は下りリンクのチャネル状態を示すチャネル品質情報(CQI)が含まれる。但し、伝送される制御情報として、適切な如何なるものが含まれてもよい。
【００６０】
本実施例に係るユーザ装置１００ｎについて、図６を参照して説明する。
【００６１】
本実施例に係るユーザ装置１００ｎは、送信装置を有する。該送信装置は、OFDM信号復調部１０２と、CQI推定部１０４と、下り制御信号復号部１０６と、ACK/NACK判定部１０８と、L1/L2制御信号処理ブロック１１０と、チャネル符号化部１１２と、データ変調部１１４と、サブキャリアマッピング部１１６と、逆高速フーリエ変換部(IFFT)１１８と、ガードインターバル付与部(CP)１２０と、パイロット信号処理ブロック１２２と、パイロット系列生成部１２４と、サブキャリアマッピング部１２６と、逆高速フーリエ変換部(IFFT)１２８と、ガードインターバル付与部１３０と、多重部１３２とを有する。
【００６２】
OFDM信号復調部１０２は、OFDM方式で変調されている受信信号を復調し、ベースバンド信号を取り出す。例えば、OFDM信号復調部１０２は、ガードインターバルの除去、フーリエ変換、サブキャリアデマッピング、データ復調等の処理を受信信号に施し、下りパイロットチャネル、下り制御チャネル(及び／又は報知チャネル)及び下りデータチャネル等を用意する。
【００６３】
CQI推定部１０４は、下りパイロットチャネルの受信品質に基づいて下りリンクのチャネル状態を示すチャネル品質情報(CQI)を導出する。下りパイロットチャネルの受信品質は、例えば受信電力、SIR(Signal-to-Interference  power  Ratio)、SINR(Signal-to-Interference  plus  Noise  power  Ratio)、Eb/N0（情報1ビット当たりの信号電力対雑音電力密度比）等のような適切な如何なる量で示されてもよい。CQIは、多段階に分類されている受信品質を適切に量子化することで導出できる。例えば、受信品質が３２ビットで表現され、CQIが５ビットで表現されてもよい。なお、パイロットチャネルは、送信側及び受信側で既知のパターンを有する信号であり、リファレンス信号、トレーニング信号等と言及されてもよい。
【００６４】
下り制御信号復号部１０６は、下り制御チャネルを復号し、下り制御信号を取り出す。下り制御チャネルは、下りL1/L2制御チャネルでもよいし、報知チャネル(BCH)でもよい。本実施例では特に下り制御信号は、通信に使用するパイロットチャネルの符号系列番号、下り及び／又は上りリンクのスケジューリング情報(リソースブロック番号、伝送フォーマット、ユーザ識別情報等)等を含んでよい。
【００６５】
ACK/NACK判定部１０８は、下りデータチャネルが適切に受信できたか否かを例えば誤り判定を行うことで判定する。誤り判定は例えば巡回冗長検査(CRC)法で行われてもよい。
【００６６】
L1/L2制御信号処理ブロック１１０は、上りリンクで伝送するL1/L2制御チャネルを用意する。
【００６７】
チャネル符号化部１１２は、上りリンクで伝送する制御情報を所定の符号化率でチャネル符号化する。制御情報には、例えばL1/L2制御チャネルのような制御情報が含まれる。本実施例では制御情報は特に、下りデータチャネルに対する送達確認情報(ACK/NACK)及び下りリンクのチャネル状態を示すCQIの少なくとも一方を含む。
【００６８】
データ変調部１１４は、例えば位相偏移変調(BPSK、QPSK、8PSK等)、或いは、直交振幅変調(QAM)方式のような方式で制御情報をデータ変調する。
【００６９】
サブキャリアマッピング部１１６は、制御情報をサブキャリアにマッピングする。サブキャリアは、システム帯域の内、当該ユーザ装置に使用可能な帯域内のサブキャリアに限定される。より具体的には、制御情報は、図３及び図４に示される第１及び第２制御帯域にマッピングされてもよいし、或いは上りデータチャネルと同じリソースブロックにマッピングされてもよい。マッピングの詳細については後述する。
【００７０】
逆高速フーリエ変換部(IFFT)１１８は、各サブキャリアにマッピングされた制御情報を含む信号を逆高速フーリエ変換し、周波数領域の信号を時間領域の信号に変換する。
【００７１】
ガードインターバル付与部(CP)１２０は、IFFT後の信号にガードインターバルを付加する。ガードインターバルは、例えばサイクリックプレフィックス(CP:  Cyclic  Prefix)方式で用意されてもよい。
【００７２】
パイロット信号処理ブロック１２２は、上りリンクで送信するパイロットチャネルを用意する。
【００７３】
パイロット系列生成部１２４は、通信に使用されるパイロットチャネルの符号系列番号に基づいて、パイロットチャネルを表す符号系列を生成する。符号系列は、パイロットチャネルに相応しい適切な如何なる符号系列でもよい。一例として、パイロットチャネルはカザック(CAZAC)符号系列でもよい。
【００７４】
サブキャリアマッピング部１２６は、パイロットチャネルを適切なサブキャリアにマッピングする。
【００７５】
逆高速フーリエ変換部(IFFT)１２８は、各サブキャリアにマッピングされたパイロットチャネルを含む信号を逆高速フーリエ変換し、周波数領域の信号を時間領域の信号に変換する。
【００７６】
ガードインターバル付与部１３０は、IFFT後の信号にガードインターバルを付加する。
【００７７】
多重部１３２は、L1/L2制御チャネル及びパイロットチャネルを多重する。多重は単なる加算で実現されてもよいし、時分割多重のような多重法が使用されてもよい。多重後の信号を含む送信信号は、不図示の無線送信部に与えられ、最終的には上りリンクで無線送信される。
【００７８】
＜基地局装置＞
本実施例に係る基地局装置２００について、図７を参照して説明する。
【００７９】
本実施例に係る基地局装置２００は、受信装置を有する。受信装置は、同期検出及びチャネル推定部２０２と、ガードインターバル除去部２０４と、高速フーリエ変換部(FFT)２０６と、サブキャリアデマッピング部２０８と、データ復調部２１０と、データ復号部２１２と、ACK/NACK判定部２１４と、スケジューラ２１６と、上りスケジューリンググラント信号生成部２１８と、他の下りリンクチャネル生成部２２０と、OFDM信号生成部２２２とを有する。
【００８０】
同期検出及びチャネル推定部２０２は、上りリンクで受信したパイロットチャネルに基づいて、同期確立及びチャネル推定を行う。
【００８１】
ガードインターバル除去部２０４は、受信信号の同期タイミングに従って、受信信号からガードインターバルを除去する。
【００８２】
高速フーリエ変換部(FFT)２０６は、受信信号を高速フーリエ変換し、時間領域の信号を周波数領域の信号に変換する。
【００８３】
サブキャリアデマッピング部２０８は、各サブキャリアにマッピングされている信号を取り出す。この信号は制御チャネルだけを含むかもしれないし、制御チャネル及びデータチャネル双方を含むかもしれない。
【００８４】
データ復調部２１０は、受信した信号をデータ復調する。
【００８５】
データ復号部２１２は、データ復調後の信号をデータ復号する。
【００８６】
なお、制御チャネル及びデータチャネルについて、データ復調及びデータ復号は別個に行われるが、図示の簡明化のためそれらはまとめて示されている。
【００８７】
ACK/NACK判定部２１４は、受信した上りデータチャネルが適切に受信できたか否かを例えば誤り判定を行うことで判定する。誤り判定は例えば巡回冗長検査(CRC)法で行われてもよい。
【００８８】
スケジューラ２１６は、無線リソースの割当を計画する(スケジューリングを行う)。スケジューリングは、無線伝搬状況、所要品質(QoS)、再送の要否等に基づいて行われてよい。スケジューリングは、MAX-C/I法やプロポーショナルフェアネス法等の適切な如何なるアルゴリズムでなされてもよい。無線伝搬状況は、下りリンクについてはユーザ装置から報告されたCQIを、上りリンクについては受信SINR等を用いて推定されてもよい。所要品質QoSは、例えばデータレート、誤り率、許容される遅延時間等の観点から決められてよい。再送の要否は送達確認情報(ACK/NACK)に基づいて判定されてよい。
【００８９】
上りスケジューリンググラント信号生成部２１８は、上りリンクでデータチャネルを送信することを許可するスケジューリング情報(アップリンクグラント)を表す制御情報を用意する。スケジューリング情報は、使用の許可されたリソースブロック、伝送フォーマット等を含む。
【００９０】
他の下りリンクチャネル生成部２２０は、スケジューリング情報以外の下り信号(データチャネル、報知チャネル、同期チャネル、パイロットチャネル及び他の制御チャネル等)を用意する。
【００９１】
OFDM信号生成部２２２は、下りリンクの各種の情報を含む信号をOFDM方式で変調し、下り送信信号を用意する。例えば、OFDM信号生成部２２２は、チャネル符号化、データ変調、サブキャリアマッピング、IFFT及びガードインターバルの付与等の処理を行う。下り送信信号は、不図示の無線送信機に伝送され、最終的には下りリンクで無線送信される。
【００９２】
以下、一実施例による制御情報の伝送法を説明する。いくつもの伝送法が説明されるが、これらは例示であり、全てを網羅するものではない。上述したように本実施例に係る通信システムでは、上りリンク制御チャネルは、基本周波数ブロックを単位として送受信される。
【００９３】
以下一例として、２個の基本周波数ブロックが１ユーザ装置により使用される場合について示す。３個以上の基本周波数ブロックが１ユーザ装置により使用されるようにしてもよい。ユーザ装置１００ｎは、複数の基本周波数ブロックの制御情報の伝送を行う。
【００９４】
（方法１）シングルキャリア伝送を用い、基本周波数ブロック内でintra-TTIホッピング、基本周波数ブロック間でinter-TTIホッピングを適用する。
【００９５】
この方法では、図８に示すように、ユーザ装置１００ｎが基地局装置２００に送信するL1/L2制御チャネルの伝送は、連続するサブフレームにおいて、前のサブフレームにおいてL1/L2制御チャネルが伝送される基本周波数ブロックの帯域と、後のサブフレームにおいてL1/L2制御チャネルが伝送される基本周波数ブロックの帯域とは異なる。各基本周波数ブロックでは、L1/L2制御チャネルの伝送は２つのスロットで連続的に行われるが、最初のスロットでは第２制御帯域で、次のスロットでは第１制御帯域で伝送される。逆であってもよい。
【００９６】
（方法２） シングルキャリア伝送を用い、基本周波数ブロック間でintra-TTIホッピングを適用する。
【００９７】
この方法では、図９に示すように、ユーザ装置１００ｎが基地局装置２００に送信するL1/L2制御チャネルの伝送は、或るサブフレームにおいて、複数の異なる基本周波数ブロックを用いて行われる。ここでは一例として、２個の基本周波数ブロックを用いる場合について説明する。３個以上の基本周波数ブロックを用いる場合についても同様である。２個の基本周波数ブロックにおいて、該２個の基本周波数ブロックの端の帯域に位置する（を含む）第１制御帯域及び第２制御帯域が用意される。２個の基本周波数ブロックでは、L1/L2制御チャネルの伝送は２つのスロットで連続的に行われるが、最初のスロットでは、２個の基本周波数ブロックの内高周波側の基本周波数ブロックの第２制御帯域で、次のスロットでは低周波側の基本周波数ブロックの第１制御帯域で伝送される。逆であってもよい。
（方法３） マルチキャリア伝送を用い，複数の基本周波数ブロックから伝送する。
【００９８】
この方法では、図１０に示すように、ユーザ装置１００ｎが基地局装置２００に送信するL1/L2制御チャネルの伝送は、或るサブフレームにおいて、複数の異なる基本周波数ブロックを用いて行われる。ここでは一例として、２個の基本周波数ブロックを用いる場合について説明する。３個以上の基本周波数ブロックを用いる場合についても同様である。２個の基本周波数ブロックそれぞれにおいて、該基本周波数ブロックの端の帯域に位置する（を含む）第１制御帯域及び第２制御帯域が用意される。マルチキャリア伝送が適用され、各基本周波数ブロックにおいて、L1/L2制御チャネルが同時に（同じスロットで）伝送される。最初のスロットでは、高周波側の基本周波数ブロックの第１制御帯域及び低周波側の基本周波数ブロックの第１制御帯域で、次のスロットでは低周波側の基本周波数ブロックの第２制御帯域及び高周波側の基本周波数ブロックの第２制御帯域で伝送される。逆であってもよい。図１０に示す例では、連続するサブフレームにおいて、L1/L2制御チャネルがマッピングされる制御帯域は同様である。
【００９９】
また、図１１に示すように、連続するサブフレームにおいて、L1/L2制御チャネルがマッピングされる制御帯域を異なるようにしてもよい。
【０１００】
上述した方法１−３の制御情報の伝送法における特徴について、図１２を参照して説明する。
【０１０１】
周波数ダイバーシチに関して説明する。
【０１０２】
方法１では、或るサブフレームにおいて、基本周波数ブロック内でintra-TTIホッピングが行われるので、周波数ダイバーシチの効果としては、Rel-8  LTEと同様である。
【０１０３】
方法２では、或るサブフレームにおいて、複数の基本周波数ブロック間でintra-TTIホッピングがおこなわれる。L1/L2制御チャネルの伝送される帯域が離れている点から、周波数ダイバーシチの効果としては、方法1よりもよい。
【０１０４】
方法３では、マルチキャリア伝送が適用され、或るスロットでは、複数の帯域でL1/L2制御チャネルの伝送される点から、周波数ダイバーシチの効果としては、方法1及び２よりもよい。
【０１０５】
他セル干渉に関して説明する。
【０１０６】
当該ユーザ装置が在圏するセルと、該セルとは異なる他セルとが同じ帯域の無線リソースを使用すると干渉になる。
【０１０７】
方法１では、他セルとは異なる無線リソースを使用するようにホッピングパターンをセル毎に異なるようにする。例えば、サブフレーム毎に、基本周波数ブロックの帯域を異なるようにする。このようにすることにより、或る瞬間において、同じ帯域の無線リソースを使用していた場合でも、該ある瞬間とは異なる瞬間においては使用する無線リソースを異ならせることができる。
【０１０８】
方法２では、各サブフレームにおいて、同様の帯域によりL1/L2制御チャネルが送信される点で、Rel-8  LTEと同様である。
【０１０９】
方法３では、各サブフレームにおいて、同様の帯域によりL1/L2制御チャネルが送信される点で、Rel-8  LTEと同様である。しかし、図１１に示したように、各サブフレームにおいて、異なる帯域によりL1/L2制御チャネルが送信されるようにすることで、他セルからの干渉を低減できる。
【０１１０】
PAPRに関して説明する。
【０１１１】
方法１及び方法２では、シングルキャリア伝送である点で、Rel-8  LTEと同様である。
【０１１２】
方法３では、マルチキャリア伝送である点で、方法１及び方法２と比較して、PAPRが大きくなる。
【０１１３】
Rel-8  LTEの端末との同一リソース内の多重について説明する。
【０１１４】
方法１では、１サブフレームにおける構成はRel-8  LTEと同様である。このため、Rel-8  LTEの端末と同一のリソース内の多重が可能である。
【０１１５】
方法２では、Rel-8  LTEの端末は基本周波数ブロックの両端の帯域にL1/L2制御チャネルがマッピングされる。LTE-Advancedの端末は２個の基本周波数ブロックの両端の帯域にL1/L2制御チャネルがマッピングされる。従って、LTE-Advancedの端末が多くなればなる程、２個の基本周波数ブロックの両端の帯域の周波数利用効率が向上する反面、該２個の基本周波数ブロックの間の帯域の周波数利用効率は低下する。
【０１１６】
方法３では、マルチキャリア伝送が適用されるため、Rel-8  LTEとは伝送方法が異なる。Multicarrier  DFT-Spread  OFDMが適用される場合には、Rel-8  LTEの端末と符号分割多重できる。しかし、OFDM、Clustered  DFT-Spread  OFDMが適用される場合には、符号分割多重できないため、周波数分割多重あるいは時分割多重する必要がある。
【０１１７】
TTI当たりの伝送可能な情報量・複数の基本周波数ブロックにわたる制御情報を伝送するために要する時間について説明する。
【０１１８】
方法１及び方法２では、伝送可能な情報量は、TTI当たり、Rel-8  LTEと同等である。従って、複数の基本周波数ブロックにわたる制御情報の伝送には複数のTTIが必要である。また、スロット単位で基本周波数ブロックの制御情報を符号化し、TTIを小さくするようにしてもよい。
【０１１９】
方法３では、マルチキャリア伝送であるため、TTI当たり、Rel-8  LTEより大きな情報量を伝送できる。よって、方法１及び方法２と比較して、短い時間で制御情報を伝送できる。その分、TTI当たりに使用する無線リソースは、方法１及び方法２と比較して大きくなる。
【０１２０】
図１２によれば、方法１及び方法２において、１つの基本周波数ブロックで制御信号を伝送する場合にはRel-8  LTEと同等となる。
【０１２１】
本実施例に係る移動通信システムの動作について、図１３を参照して説明する。
【０１２２】
基地局２００は、下りリンクの信号を送信する（ステップＳ１３０２）。
【０１２３】
ユーザ装置１００ｎは、セルＩＤと、リソースＩＤとに基づいて、基本周波数ブロックＩＤ（番号）、リソース番号、カザック系列、サイクリックシフトを把握する（ステップＳ１３０４）。例えば、セルＩＤ、リソースＩＤは、下りリンクの信号に基づいて、検出するようにしてもよい。例えば、基地局は、割り当てていない基本周波数ブロックを割り当てるようにリソースＩＤを決定するようにしてもよい。例えば、各ユーザ装置が使用する無線リソースが重複しないようにホッピングパターンが設定されてもよい。この場合、異なるホッピングパターンを使用している限りは、同じサブフレームにおいて、同様の無線リソースを複数のユーザ装置が使用することはない。また、ホッピングパターンはセル毎に異なるようにしてもよい。
【０１２４】
ユーザ装置１００ｎは、把握した基本周波数ブロックＩＤ（番号）、リソース番号、カザック系列、サイクリックシフトに基づいて、制御情報をマッピングする（ステップＳ１３０６）。ここで、カザック系列、サイクリックシフトに基づいて、複数のサブキャリアに拡散するようにしてもよい。
【０１２５】
ユーザ装置１００ｎは、マッピング後の信号を逆フーリエ変換する（ステップＳ１３０８）。
【０１２６】
ユーザ装置１００ｎは、上りリンク制御チャネルを送信する（ステップＳ１３１０）。
【０１２７】
基地局２００は、受信信号をフーリエ変換する（ステップＳ１３１２）。
【０１２８】
基地局２００は、フーリエ変換された受信信号に基づいて、マッピングされた制御情報を取り出す（ステップＳ１３１４）。
【０１２９】
基地局２００は、取り出した制御情報を復元する（ステップＳ１３１６）。
【０１３０】
上述した実施例においては、シングルキャリア伝送を適用する場合とマルチキャリア伝送を適用する場合とを説明したが、これらは、周囲の環境などに応じて切替えて使用するようにしてもよい。周囲の環境には、例えば、セル構成、伝搬状態などが含まれてもよい。例えば、ユーザ装置の位置に応じて切り換えてもよい。具体的には、セル端に位置するユーザにはシングルキャリア伝送が適用され、セルの中心領域に位置するユーザにはマルチキャリア伝送が適用されてもよい。
【０１３１】
上述した実施例では、主に上りリンクにOFDM方式が使用されている場合が説明されたが、上りリンクだけでなく下りリンクに適用されてもよい。マルチキャリア方式で再送制御情報やチャネル品質インジケータを送信する場合に広く適用可能である。
【０１３２】
上述した実施例では、無線フレームを構成するサブフレームが２つのスロットを含んでいたが、スロット数は２より多くてもよいし、１つでもよい。また、制御情報の伝送用に専用に確保された帯域(第1、第２制御帯域)は、システム帯域両端に１つずつ用意されていたが、そのような専用の制御帯域はシステム帯域中のどこにいくつ用意されてもよい。但し、周波数ホッピングによるダイバーシチ効果を高める観点からは、周波数軸上でできるだけ隔てられた複数の制御帯域を利用することが好ましい。周波数ホッピングはスロット単位で行われてもよいし、サブフレーム単位で行われてもよいし、或いはスロットを構成する1つ以上のシンボル群(例えば、いくつかのOFDMシンボル)を単位として行われてもよい。無線伝送におけるオーバーヘッドを少なくする観点からは、制御帯域の帯域幅はできるだけ狭いことが好ましい。制御帯域の帯域幅は、システム帯域幅の広狭に応じて異なってもよい。
【０１３３】
上述した実施例では、基本周波数ブロック又は所定数の異なる基本周波数ブロックの両端に用意された制御帯域で、送達確認情報(ACK/NACK)及び／又はチャネル品質情報(CQI)が主に伝送されていたが、これら以外の情報がその制御帯域で伝送されてもよい。例えば、ACK/NACKの対象とするパケットのパケット番号、パンクチャパターン、ユーザ識別情報等が再送制御情報として含まれてもよい。但し、オーバーヘッドを少なくしつつ頻繁に通信相手に通知する観点からは、専用の制御帯域で伝送される情報を、システムのスループットに特に重要なACK/NACKやCQIに限定し、伝送する情報ビット数を少なく維持することが好ましい。
【０１３４】
制御チャネルでもデータチャネルでもそれらを受信する際には、少なくとも受信処理の時にどの無線リソースがどのように使用されているかを知っている必要がある。従ってACK/NACKやCQIを通信相手に通知する際にも、無線リソースの使用法を通知する必要がある。しかしながらこの通知のためだけに無線リソースを消費してしまうと、オーバーヘッドが多くなるので、リソースの有効活用の観点からは、その通知が効率的になるように工夫することが好ましい。
【０１３５】
（１）そのような工夫の一例として、スケジューリング情報が下り制御チャネルの中でどのように含まれていたか(即ち、スケジューリング情報のマッピング位置)を利用することが考えられる。下りL1/L2制御チャネルの中には、ユーザ多重数分のスケジューリング情報が含まれている。本方法では、最大ユーザ多重数NCCH_MAX個の制御情報用のリソースが予め確保されている。ユーザ装置は下りL1/L2制御チャネルを受信し、自装置宛のスケジューリング情報を取り出す。この場合、ユーザ装置は高々、最大ユーザ多重数NCCH_MAX回のデコードを行うことで、自装置宛のスケジューリング情報の有無を確認できる。
【０１３６】
例えば、或るユーザ装置UEがｘ回目のデコードで自装置宛の下りスケジューリング情報を発見したとする。ユーザ装置UEは、その下りスケジューリング情報で指定されているリソースブロックで下りデータチャネルを受信し、ACK/NACKを用意する。ユーザ装置UEは、ｘ番に１対１に対応する制御情報用のリソースを用いて、ACK/NACKを基地局に報告する。
【０１３７】
また、ユーザ装置UEが、ｘ回目のデコードで自装置宛の上りスケジューリング情報を発見した場合、その情報で指定されているリソースブロックで上りデータチャネルが送信される。この上りデータチャネルに対して、基地局はACK/NACKを用意する。そして、下りL1/L2制御チャネル中のｘ番目の場所にそのACK/NACKを書き込む。ユーザ装置UEは、ｘ番目の位置に書き込まれた情報を読み取ることで、再送の要否を知ることができる。但し、データチャネルの送信タイミングと、ACK/NACKの送信タイミングは予め既知であるとする。
【０１３８】
このような対応関係を予め設定しておくことで、ユーザ装置及び基地局は、ユーザ識別情報やリソース情報をその都度通知しなくても、再送の要否を知ることができる。
【０１３９】
（２）上記では制御チャネルのマッピング位置が利用されたが、その代わりにリソースブロックの場所が利用されてもよい。この方法では、リソースブロック総数NRB_MAX個の制御情報用のリソースが予め確保されている。
【０１４０】
例えば、下りリンクについて、或るユーザ装置UEにｘ番目のリソースブロックRB_xが割り当てられたとする。ユーザ装置UEはリソースブロックRB_xのデータチャネルを復元し、ACK/NACKを用意する。ユーザ装置UEは、ｘ番に１対１に対応する制御情報用のリソースを用いて、ACK/NACKを基地局に報告する。
【０１４１】
また、上りリンクについて、ユーザ装置UEにリソースブロックRB_xが割り当てられたとする。ユーザ装置UEは、そのリソースブロックRB_xで上りデータチャネルを送信する。この上りデータチャネルに対して、基地局はACK/NACKを用意する。そして、下りL1/L2制御チャネル中のｘ番目の場所にそのACK/NACKを書き込む。ユーザ装置UEは、ｘ番目の位置に書き込まれた情報を読み取ることで、再送の要否を知ることができる。この場合も、データチャネルの送信タイミングと、ACK/NACKの送信タイミングは予め既知であるとする。
【０１４２】
このような対応関係を予め設定しておいても、ユーザ装置及び基地局は再送の要否を効率的に知ることができる。
【０１４３】
CQIのフィードバック情報は、典型的には、周期的に報告することが考えられるため、初回送信時、或いは、事前に報知チャネル等によりCQIの送信に必要な情報（送信リソース番号、送信周期、送信期間等）をシグナリングし、以降はシグナリングなしに、予め通知された情報に従って送信を行うことで、シグナリング量を低減することができる。
【０１４４】
本実施例によれば、上りリンク制御チャネルに関して、複数の基本周波数ブロックの制御情報を送信する場合に、周波数ホッピングを適用できるため、受信装置における受信品質を向上させることができる。
【０１４５】
また、上りリンク制御チャネルに関して、シングルキャリア伝送又はマルチキャリア伝送を適用して、複数の基本周波数ブロックの制御情報を送信する場合に、周波数ホッピングを適用できる。
【０１４６】
本実施例に係る移動通信システムは、シングルキャリア方式及び／又はマルチキャリア方式で制御情報を伝送する適切な如何なる移動通信システムにも適用可能である。
【０１４７】
以上本発明は特定の実施例を参照しながら説明されてきたが、実施例は単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。説明の便宜上、本発明の実施例に係る装置は機能的なブロック図を用いて説明されたが、そのような装置はハードウエアで、ソフトウエアで又はそれらの組み合わせで実現されてもよい。本発明は上記実施例に限定されず、本発明の精神から逸脱することなく、様々な変形例、修正例、代替例、置換例等が本発明に包含される。
【図面の簡単な説明】
【０１４８】
【図１】各ユーザ装置に割り当てられる帯域を示す説明図である。
【図２】下りリンク制御チャネルの送信法の一例を示す説明図である。
【図３】上りリンク制御チャネルの送信法の一例を示す説明図である。
【図４】上りリンク制御チャネルの送信法の一例を示す説明図である。
【図５】一実施例に係る移動通信システムを示す説明図である。
【図６】一実施例に係るユーザ装置を示す部分ブロック図である。
【図７】一実施例に係る基地局装置を示す部分ブロック図である。
【図８】一実施例に係る上りリンク制御チャネルの送信法の一例を示す説明図である。
【図９】一実施例に係る上りリンク制御チャネルの送信法の一例を示す説明図である。
【図１０】一実施例に係る上りリンク制御チャネルの送信法の一例を示す説明図である。
【図１１】一実施例に係る上りリンク制御チャネルの送信法の一例を示す説明図である。
【図１２】一実施例に係る上りリンク制御チャネルの送信法を示す説明図である。
【図１３】一実施例に係る移動通信システムの動作を示すフロー図である。
【符号の説明】
【０１４９】
５０  セル  
１００１、１００２、１００３  ユーザ装置
２００  基地局装置
３００  上位ノード
４００  コアネットワーク
１０２  OFDM信号復調部
１０４  CQI推定部
１０６  下り制御信号復号部
１０８  ACK/NACK判定部
１１０  L1/L2制御信号処理ブロック
１１２  チャネル符号化部
１１４  データ変調部
１１６  サブキャリアマッピング部
１１８  逆高速フーリエ変換部(IFFT)
１２０  ガードインターバル付与部(CP)
１２２  パイロット信号処理ブロック
１２４  パイロット系列生成部
１２６  サブキャリアマッピング部
１２８  逆高速フーリエ変換部(IFFT)
１３０  ガードインターバル付与部
１３２  多重部
２０２  同期検出及びチャネル推定部
２０４  ガードインターバル除去部
２０６  高速フーリエ変換部(FFT)
２０８  サブキャリアデマッピング部
２１０  データ復調部
２１２  データ復号部
２１４  ACK/NACK判定部
２１６  スケジューラ
２１８  上りスケジューリンググラント信号生成部
２２０  他の下りリンクチャネル生成部
２２２  OFDM信号生成部
１０００  移動通信システム
【図１】
2010045549.tif 000003
【図２】
2010045549.tif 000004
【図３】
2010045549.tif 000005
【図４】
2010045549.tif 000006
【図５】
2010045549.tif 000007
【図６】
2010045549.tif 000008
【図７】
2010045549.tif 000009
【図８】
2010045549.tif 000010
【図９】
2010045549.tif 000011
【図１０】
2010045549.tif 000012
【図１１】
2010045549.tif 000013
【図１２】
2010045549.tif 000014
【図１３】
2010045549.tif 000015
【手続補正書】
【提出日】平成21年9月2日(2009.9.2)
【手続補正１】
【補正対象書類名】特許請求の範囲
【補正対象項目名】全文
【補正方法】変更
【補正の内容】
【特許請求の範囲】
【請求項１】
システム帯域が所定の帯域幅を有する基本周波数ブロックにより複数に分割され、複数の基本周波数ブロックの内、所定数の基本周波数ブロックを使用して上りリンクの制御信号を送信する送信装置であって、
或るサブフレームにおける基本周波数ブロック内のサブキャリアに、制御情報をマッピングするマッピング部と、
該マッピング部により制御情報がマッピングされた信号を逆フーリエ変換する逆フーリエ変換部と、
該逆フーリエ変換部により逆フーリエ変換された信号を含む送信信号を受信装置に無線送信する無線送信部と
を有し、
前記マッピング部は、前記或るサブフレームに後続するサブフレームにおいて、前記或るサブフレームにおける基本周波数ブロックの帯域とは異なる帯域の基本周波数ブロック内のサブキャリアに、制御情報をマッピングすることを特徴とする送信装置。
【請求項２】
請求項１に記載の送信装置において、
前記マッピング部は、或るサブフレームにおける基本周波数ブロックにおいて、サブフレームの期間にわたって周波数領域で不連続に用意され且つ共有データチャネル用の帯域とは別個に用意された複数の帯域に、制御情報をマッピングすることを特徴とする送信装置。
【請求項３】
請求項２に記載の送信装置において、
前記複数の帯域は、前記基本周波数ブロックの端の帯域に位置する第１の帯域及び第２の帯域を含み、
サブフレームが２つ以上の単位期間を含み、受信装置宛の第１及び第２の制御情報は２つ以上の単位期間にわたって伝送され、
前記マッピング部は、第１の単位期間では、前記受信装置宛の第1の制御情報を第２の帯域にマッピングし、第２の単位期間では、前記受信装置宛の第２の制御情報を第１の帯域にマッピングすることを特徴とする送信装置。
【請求項４】
システム帯域が所定の帯域幅を有する基本周波数ブロックにより複数に分割され、複数の基本周波数ブロックの内、所定数の基本周波数ブロックを使用して上りリンクの制御信号を送信する送信装置であって、
或るサブフレームにおける所定数の異なる基本周波数ブロック内のサブキャリアに、制御情報をマッピングするマッピング部と、
該マッピング部により制御情報がマッピングされた信号を逆フーリエ変換する逆フーリエ変換部と、
該逆フーリエ変換部により逆フーリエ変換された信号を含む送信信号を受信装置に無線送信する無線送信部と
を有し、
前記マッピング部は、所定数の異なる基本周波数ブロックにおいて、サブフレームの期間にわたって周波数領域で不連続に用意され且つ共有データチャネル用の帯域とは別個に用意された複数の帯域に、制御情報をマッピングすることを特徴とする送信装置。
【請求項５】
請求項４に記載の送信装置において、
前記複数の帯域は、前記所定の異なる基本周波数ブロックの端の帯域に位置する第１の帯域及び第２の帯域を含み、
サブフレームが２つ以上の単位期間を含み、受信装置宛の第１及び第２の制御情報は２つ以上の単位期間にわたって伝送され、
前記マッピング部は、第１の単位期間では、前記受信装置宛の第1の制御情報を第２の帯域にマッピングし、第２の単位期間では、前記受信装置宛の第２の制御情報を第１の帯域にマッピングすることを特徴とする送信装置。
【請求項６】
請求項４に記載の送信装置において、
前記マッピング部は、各基本周波数ブロックにおいて、サブフレームの期間にわたって周波数領域で不連続に用意され且つ共有データチャネル用の帯域とは別個に用意された複数の帯域に、制御情報をマッピングすることを特徴とする送信装置。
【請求項７】
請求項６に記載の送信装置において、
前記複数の帯域は、前記基本周波数ブロックの端の帯域に位置する第１の帯域及び第２の帯域を含み、
サブフレームが２つ以上の単位期間を含み、受信装置宛の第１及び第２の制御情報は２つ以上の単位期間にわたって伝送され、
前記マッピング部は、第１の単位期間では、各基本周波数ブロックにおける第１の帯域に、受信装置宛の第1の制御情報をマッピングし、第２の単位期間では、各基本周波数ブロックにおける第２の帯域に、受信装置宛の第２の制御情報をマッピングすることを特徴とする送信装置。
【請求項８】
請求項７に記載の送信装置において、
前記マッピング部は、前記或るサブフレームに後続するサブフレームにおいて、第１の単位期間では、各基本周波数ブロックにおける第２の帯域に、受信装置宛の第1の制御情報をマッピングし、第２の単位期間では、各基本周波数ブロックにおける第１の帯域に、受信装置宛の第２の制御情報をマッピングすることを特徴とする送信装置。
【請求項９】
請求項３、５、７、８のいずれか１項に記載の送信装置において、
１つの単位期間は、サブフレームの半分の期間を有するスロットであることを特徴とする送信装置。
【請求項１０】
システム帯域が所定の帯域幅を有する基本周波数ブロックにより複数に分割され、複数の基本周波数ブロックの内、所定数の基本周波数ブロックを使用して上りリンクの制御信号を送信する送信装置における方法であって、
或るサブフレームにおける基本周波数ブロック内のサブキャリアに、制御情報をマッピングするマッピングステップと、
該マッピングステップにより制御情報がマッピングされた信号を逆フーリエ変換する逆フーリエ変換ステップと、
該逆フーリエ変換ステップにより逆フーリエ変換された信号を含む送信信号を受信装置に無線送信する無線送信ステップと
を有し、
前記マッピングステップでは、前記或るサブフレームに後続するサブフレームにおいて、前記或るサブフレームにおける基本周波数ブロックの帯域とは異なる帯域の基本周波数ブロック内のサブキャリアに、制御情報をマッピングすることを特徴とする方法。
【請求項１１】
システム帯域が所定の帯域幅を有する基本周波数ブロックにより複数に分割され、複数の基本周波数ブロックの内、所定数の基本周波数ブロックを使用して上りリンクの制御信号を送信する送信装置における方法であって、
或るサブフレームにおける所定数の異なる基本周波数ブロック内のサブキャリアに、制御情報をマッピングするマッピングステップと、
該マッピングステップにより制御情報がマッピングされた信号を逆フーリエ変換する逆フーリエ変換ステップと、
該逆フーリエ変換ステップにより逆フーリエ変換された信号を含む送信信号を受信装置に無線送信する無線送信ステップと
を有し、
前記マッピングステップでは、所定数の異なる基本周波数ブロックにおいて、サブフレームの期間にわたって周波数領域で不連続に用意され且つ共有データチャネル用の帯域とは別個に用意された複数の帯域に、制御情報をマッピングすることを特徴とする方法。
【請求項１２】
システム帯域が所定の帯域幅を有する基本周波数ブロックにより複数に分割され、複数の基本周波数ブロックの内、所定数の基本周波数ブロックを使用して送信された上りリンクの制御信号を受信する受信装置であって、
受信信号をフーリエ変換するフーリエ変換部と、
該フーリエ変換部によりフーリエ変換された信号に基づいて、各サブキャリアにマッピングされた信号を取り出すデマッピング部と、
該デマッピング部により取り出された制御情報を復元する復元部と、
を有し、
前記デマッピング部は、或るサブフレームにおける基本周波数ブロック内のサブキャリアにマッピングされた制御情報を取り出し、
前記或るサブフレームに後続するサブフレームにおいて、前記或るサブフレームにおける基本周波数ブロックの帯域とは異なる帯域の基本周波数ブロック内のサブキャリアにマッピングされた制御情報を取り出すことを特徴とする受信装置。
【請求項１３】
システム帯域が所定の帯域幅を有する基本周波数ブロックにより複数に分割され、複数の基本周波数ブロックの内、所定数の基本周波数ブロックを使用して送信された上りリンクの制御信号を受信する受信装置であって、
受信信号をフーリエ変換するフーリエ変換部と、
該フーリエ変換部によりフーリエ変換された信号に基づいて、各サブキャリアにマッピングされた信号を取り出すデマッピング部と、
該デマッピング部により取り出された制御情報を復元する復元部と
を有し、
前記デマッピング部では、或るサブフレームにおける所定数の異なる基本周波数ブロック内のサブキャリアにおいて、サブフレームの期間にわたって周波数領域で不連続に用意され且つ共有データチャネル用の帯域とは別個に用意された複数の帯域にマッピングされた制御情報を取り出すことを特徴とする受信装置。
【請求項１４】
システム帯域が所定の帯域幅を有する基本周波数ブロックにより複数に分割され、複数の基本周波数ブロックの内、所定数の基本周波数ブロックを使用して送信された上りリンクの制御信号を受信する受信装置における方法であって、
受信信号をフーリエ変換するフーリエ変換ステップと、
該フーリエ変換ステップによりフーリエ変換された信号に基づいて、各サブキャリアにマッピングされた信号を取り出すデマッピングステップと、
前記デマッピングステップにより取り出された制御情報を復元する復元ステップと、
を有し、
前記デマッピングステップでは、或るサブフレームにおける基本周波数ブロック内のサブキャリアにマッピングされた制御情報を取り出し、
前記或るサブフレームに後続するサブフレームにおいて、前記或るサブフレームにおける基本周波数ブロックの帯域とは異なる帯域の基本周波数ブロック内のサブキャリアにマッピングされた制御情報を取り出すことを特徴とする方法。
【請求項１５】
システム帯域が所定の帯域幅を有する基本周波数ブロックにより複数に分割され、複数の基本周波数ブロックの内、所定数の基本周波数ブロックを使用して送信された上りリンクの制御信号を受信する受信装置における方法であって、
受信信号をフーリエ変換するフーリエ変換ステップと、
該フーリエ変換ステップによりフーリエ変換された信号に基づいて、各サブキャリアにマッピングされた信号を取り出すデマッピングステップと、
前記デマッピングステップにより取り出された制御情報を復元する復元ステップと
を有し、
前記デマッピングステップでは、或るサブフレームにおける所定数の異なる基本周波数ブロック内のサブキャリアにおいて、サブフレームの期間にわたって周波数領域で不連続に用意され且つ共有データチャネル用の帯域とは別個に用意された複数の帯域にマッピングされた制御情報を取り出すことを特徴とする方法。
【請求項１６】
システム帯域が所定の帯域幅を有する基本周波数ブロックにより複数に分割され、複数の基本周波数ブロックの内、所定数の基本周波数ブロックを使用して上りリンクの制御信号を送信する送信装置と、該上りリンクの信号を受信する受信装置とを有する移動通信システムであって、
前記送信装置は、
或るサブフレームにおける基本周波数ブロック内のサブキャリアに制御情報をマッピングする場合に、該或るサブフレームに後続するサブフレームにおいて、該或るサブフレームにおける基本周波数ブロックの帯域とは異なる帯域の基本周波数ブロック内のサブキャリアに、制御情報をマッピングするマッピング部と、
該マッピング部により制御情報がマッピングされた信号を逆フーリエ変換する逆フーリエ変換部と、
該逆フーリエ変換部により逆フーリエ変換された信号を含む送信信号を受信装置に無線送信する無線送信部と
を有し、
前記受信装置は、
受信信号をフーリエ変換するフーリエ変換部と、
該フーリエ変換部によりフーリエ変換された信号に基づいて各サブキャリアにマッピングされた信号を取り出す場合に、或るサブフレームにおける基本周波数ブロック内のサブキャリアにおいて、該或るサブフレームにおける基本周波数ブロックの帯域とは異なる帯域の基本周波数ブロック内のサブキャリアにマッピングされた制御情報を取り出すデマッピング部と、
前記デマッピング部により取り出された制御情報を復元する復元部と、
を有することを特徴とする移動通信システム。
【請求項１７】
システム帯域が所定の帯域幅を有する基本周波数ブロックにより複数に分割され、複数の基本周波数ブロックの内、所定数の基本周波数ブロックを使用して上りリンクの制御信号を送信する送信装置と、該上りリンクの信号を受信する受信装置とを有する移動通信システムであって、
前記送信装置は、
或るサブフレームにおける所定数の異なる基本周波数ブロック内のサブキャリアに制御情報をマッピングする場合に、所定数の異なる基本周波数ブロックにおいて、サブフレームの期間にわたって周波数領域で不連続に用意され且つ共有データチャネル用の帯域とは別個に用意された複数の帯域に、制御情報をマッピングするマッピング部と、
該マッピング部により制御情報がマッピングされた信号を逆フーリエ変換する逆フーリエ変換部と、
該逆フーリエ変換部により逆フーリエ変換された信号を含む送信信号を受信装置に無線送信する無線送信部と
を有し、
前記受信装置は、
受信信号をフーリエ変換するフーリエ変換部と、
該フーリエ変換部によりフーリエ変換された信号に基づいて各サブキャリアにマッピングされた信号を取り出す場合に、或るサブフレームにおける所定数の異なる基本周波数ブロック内のサブキャリアにおいて、サブフレームの期間にわたって周波数領域で不連続に用意され且つ共有データチャネル用の帯域とは別個に用意された複数の帯域にマッピングされた制御情報を取り出すデマッピング部と、
前記デマッピング部により取り出された制御情報を復元する復元部と
を有することを特徴とする移動通信システム。
【手続補正２】
【補正対象書類名】明細書
【補正対象項目名】００１５
【補正方法】変更
【補正の内容】
【００１５】
上記課題を解決するため、本送信装置は、
システム帯域が所定の帯域幅を有する基本周波数ブロックにより複数に分割され、複数の基本周波数ブロックの内、所定数の基本周波数ブロックを使用して上りリンクの制御信号を送信する送信装置であって、
或るサブフレームにおける基本周波数ブロック内のサブキャリアに、制御情報をマッピングするマッピング部と、
該マッピング部により制御情報がマッピングされた信号を逆フーリエ変換する逆フーリエ変換部と、
該逆フーリエ変換部により逆フーリエ変換された信号を含む送信信号を受信装置に無線送信する無線送信部と
を有し、
前記マッピング部は、前記或るサブフレームに後続するサブフレームにおいて、前記或るサブフレームにおける基本周波数ブロックの帯域とは異なる帯域の基本周波数ブロック内のサブキャリアに、制御情報をマッピングする。
【手続補正３】
【補正対象書類名】明細書
【補正対象項目名】００１６
【補正方法】変更
【補正の内容】
【００１６】
他の送信装置は、
システム帯域が所定の帯域幅を有する基本周波数ブロックにより複数に分割され、複数の基本周波数ブロックの内、所定数の基本周波数ブロックを使用して上りリンクの制御信号を送信する送信装置であって、
或るサブフレームにおける所定数の異なる基本周波数ブロック内のサブキャリアに、制御情報をマッピングするマッピング部と、
該マッピング部により制御情報がマッピングされた信号を逆フーリエ変換する逆フーリエ変換部と、
該逆フーリエ変換部により逆フーリエ変換された信号を含む送信信号を受信装置に無線送信する無線送信部と
を有し、
前記マッピング部は、所定数の異なる基本周波数ブロックにおいて、サブフレームの期間にわたって周波数領域で不連続に用意され且つ共有データチャネル用の帯域とは別個に用意された複数の帯域に、制御情報をマッピングする。
【手続補正４】
【補正対象書類名】明細書
【補正対象項目名】００１７
【補正方法】変更
【補正の内容】
【００１７】
本方法は、
システム帯域が所定の帯域幅を有する基本周波数ブロックにより複数に分割され、複数の基本周波数ブロックの内、所定数の基本周波数ブロックを使用して上りリンクの制御信号を送信する送信装置における方法であって、
或るサブフレームにおける基本周波数ブロック内のサブキャリアに、制御情報をマッピングするマッピングステップと、
該マッピングステップにより制御情報がマッピングされた信号を逆フーリエ変換する逆フーリエ変換ステップと、
該逆フーリエ変換ステップにより逆フーリエ変換された信号を含む送信信号を受信装置に無線送信する無線送信ステップと
を有し、
前記マッピングステップでは、前記或るサブフレームに後続するサブフレームにおいて、前記或るサブフレームにおける基本周波数ブロックの帯域とは異なる帯域の基本周波数ブロック内のサブキャリアに、制御情報をマッピングする。
【手続補正５】
【補正対象書類名】明細書
【補正対象項目名】００１８
【補正方法】変更
【補正の内容】
【００１８】
他の方法は、
システム帯域が所定の帯域幅を有する基本周波数ブロックにより複数に分割され、複数の基本周波数ブロックの内、所定数の基本周波数ブロックを使用して上りリンクの制御信号を送信する送信装置における方法であって、
或るサブフレームにおける所定数の異なる基本周波数ブロック内のサブキャリアに、制御情報をマッピングするマッピングステップと、
該マッピングステップにより制御情報がマッピングされた信号を逆フーリエ変換する逆フーリエ変換ステップと、
該逆フーリエ変換ステップにより逆フーリエ変換された信号を含む送信信号を受信装置に無線送信する無線送信ステップと
を有し、
前記マッピングステップでは、所定数の異なる基本周波数ブロックにおいて、サブフレームの期間にわたって周波数領域で不連続に用意され且つ共有データチャネル用の帯域とは別個に用意された複数の帯域に、制御情報をマッピングする。
【手続補正６】
【補正対象書類名】明細書
【補正対象項目名】００１９
【補正方法】変更
【補正の内容】
【００１９】
本受信装置は、
システム帯域が所定の帯域幅を有する基本周波数ブロックにより複数に分割され、複数の基本周波数ブロックの内、所定数の基本周波数ブロックを使用して送信された上りリンクの制御信号を受信する受信装置であって、
受信信号をフーリエ変換するフーリエ変換部と、
該フーリエ変換部によりフーリエ変換された信号に基づいて、各サブキャリアにマッピングされた信号を取り出すデマッピング部と、
該デマッピング部により取り出された制御情報を復元する復元部と
を有し、
前記デマッピング部は、或るサブフレームにおける基本周波数ブロック内のサブキャリアにマッピングされた制御情報を取り出し、
前記或るサブフレームに後続するサブフレームにおいて、前記或るサブフレームにおける基本周波数ブロックの帯域とは異なる帯域の基本周波数ブロック内のサブキャリアにマッピングされた制御情報を取り出す。
【手続補正７】
【補正対象書類名】明細書
【補正対象項目名】００２０
【補正方法】変更
【補正の内容】
【００２０】
他の受信装置は、
システム帯域が所定の帯域幅を有する基本周波数ブロックにより複数に分割され、複数の基本周波数ブロックの内、所定数の基本周波数ブロックを使用して送信された上りリンクの制御信号を受信する受信装置であって、
受信信号をフーリエ変換するフーリエ変換部と、
該フーリエ変換部によりフーリエ変換された信号に基づいて、各サブキャリアにマッピングされた信号を取り出すデマッピング部と、
該デマッピング部により取り出された制御情報を復元する復元部と
を有し、
前記デマッピング部では、或るサブフレームにおける所定数の異なる基本周波数ブロック内のサブキャリアにおいて、サブフレームの期間にわたって周波数領域で不連続に用意され且つ共有データチャネル用の帯域とは別個に用意された複数の帯域にマッピングされた制御情報を取り出す。
【手続補正８】
【補正対象書類名】明細書
【補正対象項目名】００２１
【補正方法】変更
【補正の内容】
【００２１】
本方法は、
システム帯域が所定の帯域幅を有する基本周波数ブロックにより複数に分割され、複数の基本周波数ブロックの内、所定数の基本周波数ブロックを使用して送信された上りリンクの制御信号を受信する受信装置における方法であって、
受信信号をフーリエ変換するフーリエ変換ステップと、
該フーリエ変換ステップによりフーリエ変換された信号に基づいて、各サブキャリアにマッピングされた信号を取り出すデマッピングステップと、
前記デマッピングステップにより取り出された制御情報を復元する復元ステップと、
を有し、
前記デマッピングステップでは、或るサブフレームにおける基本周波数ブロック内のサブキャリアにマッピングされた制御情報を取り出し、
前記或るサブフレームに後続するサブフレームにおいて、前記或るサブフレームにおける基本周波数ブロックの帯域とは異なる帯域の基本周波数ブロック内のサブキャリアにマッピングされた制御情報を取り出す。
【手続補正９】
【補正対象書類名】明細書
【補正対象項目名】００２２
【補正方法】変更
【補正の内容】
【００２２】
他の方法は、
システム帯域が所定の帯域幅を有する基本周波数ブロックにより複数に分割され、複数の基本周波数ブロックの内、所定数の基本周波数ブロックを使用して送信された上りリンクの制御信号を受信する受信装置における方法であって、
受信信号をフーリエ変換するフーリエ変換ステップと、
該フーリエ変換ステップによりフーリエ変換された信号に基づいて、各サブキャリアにマッピングされた信号を取り出すデマッピングステップと、
前記デマッピングステップにより取り出された制御情報を復元する復元ステップと
を有し、
前記デマッピングステップでは、或るサブフレームにおける所定数の異なる基本周波数ブロック内のサブキャリアにおいて、サブフレームの期間にわたって周波数領域で不連続に用意され且つ共有データチャネル用の帯域とは別個に用意された複数の帯域にマッピングされた制御情報を取り出す。
【手続補正１０】
【補正対象書類名】明細書
【補正対象項目名】００２３
【補正方法】変更
【補正の内容】
【００２３】
本移動通信システムは、
システム帯域が所定の帯域幅を有する基本周波数ブロックにより複数に分割され、複数の基本周波数ブロックの内、所定数の基本周波数ブロックを使用して上りリンクの制御信号を送信する送信装置と、該上りリンクの信号を受信する受信装置とを有する移動通信システムであって、
前記送信装置は、
或るサブフレームにおける基本周波数ブロック内のサブキャリアに制御情報をマッピングする場合に、該或るサブフレームに後続するサブフレームにおいて、該或るサブフレームにおける基本周波数ブロックの帯域とは異なる帯域の基本周波数ブロック内のサブキャリアに、制御情報をマッピングするマッピング部と、
該マッピング部により制御情報がマッピングされた信号を逆フーリエ変換する逆フーリエ変換部と、
該逆フーリエ変換部により逆フーリエ変換された信号を含む送信信号を受信装置に無線送信する無線送信部と
を有し、
前記受信装置は、
受信信号をフーリエ変換するフーリエ変換部と、
該フーリエ変換部によりフーリエ変換された信号に基づいて各サブキャリアにマッピングされた信号を取り出す場合に、或るサブフレームにおける基本周波数ブロック内のサブキャリアにおいて、該或るサブフレームにおける基本周波数ブロックの帯域とは異なる帯域の基本周波数ブロック内のサブキャリアにマッピングされた制御情報を取り出すデマッピング部と、
前記デマッピング部により取り出された制御情報を復元する復元部と、
を有する。
【手続補正１１】
【補正対象書類名】明細書
【補正対象項目名】００２４
【補正方法】変更
【補正の内容】
【００２４】
他の移動通信システムは、
システム帯域が所定の帯域幅を有する基本周波数ブロックにより複数に分割され、複数の基本周波数ブロックの内、所定数の基本周波数ブロックを使用して上りリンクの制御信号を送信する送信装置と、該上りリンクの信号を受信する受信装置とを有する移動通信システムであって、
前記送信装置は、
或るサブフレームにおける所定数の異なる基本周波数ブロック内のサブキャリアに制御情報をマッピングする場合に、所定数の異なる基本周波数ブロックにおいて、サブフレームの期間にわたって周波数領域で不連続に用意され且つ共有データチャネル用の帯域とは別個に用意された複数の帯域に、制御情報をマッピングするマッピング部と、
該マッピング部により制御情報がマッピングされた信号を逆フーリエ変換する逆フーリエ変換部と、
該逆フーリエ変換部により逆フーリエ変換された信号を含む送信信号を受信装置に無線送信する無線送信部と
を有し、
前記受信装置は、
受信信号をフーリエ変換するフーリエ変換部と、
該フーリエ変換部によりフーリエ変換された信号に基づいて各サブキャリアにマッピングされた信号を取り出す場合に、或るサブフレームにおける所定数の異なる基本周波数ブロック内のサブキャリアにおいて、サブフレームの期間にわたって周波数領域で不連続に用意され且つ共有データチャネル用の帯域とは別個に用意された複数の帯域にマッピングされた制御情報を取り出すデマッピング部と、
前記デマッピング部により取り出された制御情報を復元する復元部と
を有する。